(57)【特許請求の範囲】
【請求項１】
両側部より取付用ブラケットが突出された機器と、該機器が収容可能な大きさに形成された開口部を有すると共に該開口部の両側部に該機器の取付用ブラケットが配設される取付縁部が形成されたパネル本体及び前記パネル本体に収容した状態における機器の表面位置より突出した凸部が形成され且つ前記パネル本体を覆うフロントコンソールとより形成されてなるインストルメントパネルと、該機器の表面と前記凸部との間隙を覆ってなる化粧部材とを少なくとも備えてなり、前記開口部に機器が支持された状態で、該機器の奥面側が前記インストルメントパネルに閉じられた空間を有する自動車用機器収納部装置において、
前記凸部と前記取付縁部との間の側縁部には、前記機器の取付用ブラケットが前記凸部に干渉しない突出量であると共に奥側の面が前記取付縁部に重合してなる突出部が形成されてなり、
前記突出部には、前記機器の取付時に前記取付用ブラケットの下端部が一時載置可能であると共に、そのまま、該取付用ブラケットの下端部を奥側に摺動して行けば、自然に前記パネル本体の取付縁部に形成されたテーパー状のボスに前記取付用ブラケットの貫通穴が係合されるように案内可能な案内面が形成されてなり、
前記凸部の自動車中央側の面には、前記化粧部材の棚部の自由端部が当接可能なフランジが形成されてなることを特徴とする自動車用機器収納部装置。
【請求項２】
請求項１記載の自動車用機器収納部装置であって、
前記インストルメントパネルの突出部の前記凸部に近接した位置には、化粧部材の取付部が挿入可能な支持開口が形成されてなることを特徴とする自動車用機器収納部装置。
【請求項３】
請求項１又は請求項２記載の自動車用機器収納部装置であって、
前記フランジには、前記インストルメントパネルの凸部を形成する成形型の擦り合わせにより支持開口が形成されてなる一方側の基部となることを特徴とする自動車用機器収納部装置。
【発明の詳細な説明】
【０００１】
【発明の属する技術分野】
本発明は、自動車用機器収納部装置に関する。
【０００２】
【従来の技術】
従来の自動車用機器収納部装置としては、例えば図７及び図８に示すものや、特開平６−１８３２８７号公報に示すようなものがある。
【０００３】
即ち、図７及び図８に示す自動車用機器収納部装置によれば、両側部より鉄板より形成された取付用ブラケット２が突出されたオーディオなどの機器１と、該機器１が収納可能な大きさに形成された開口部４を有する合成樹脂製のインストルメントパネル３とよりなる。
【０００４】
前記開口部４の左右両側部には、該機器１の表面５位置より突出、即ち自動車の後部ＲＲに向けて突出した凸部６，６を有し、該機器１の表面５と凸部６との左右間隙７を閉ループ状化粧部材８が覆ってなる。
【０００５】
符号９は、前記インストルメントパネル３の開口部４を形成する取付縁部で、前記取付用ブラケット２が支持される取付部としての機能を有する。
【０００６】
【発明が解決しようとする課題】
然しながら、かかる従来例によれば、見栄えを向上するために、化粧部材８の左右幅寸法１０を小さくする、即ち細くすると、化粧部材８そのものが弱くなり、逆に化粧部材８の左右幅寸法１０を大きくする、即ち太くすると、前記機器１の表面５の左右幅寸法が一定であるから、その分、凸部６，６の間隔を広げねばならず、全体意匠に影響を生じさせてしまい、造形自由度を阻害させるおそれがある。
【０００７】
また、前記機器１を前記インストルメントパネル３の内部に開口部４を介して収納させる作業の最中に、該機器１は作業者の作業ばらつきにより左右に振れる畏れがあり、かかる場合、機器１の取付用ブラケット２が前記凸部６に干渉して、前記凸部６に傷をつけるおそれがある。
【０００８】
また、前記インストルメントパネル３の開口部４に機器１を挿入する際には、該機器１の奥側に作業者が手を入れられないことにより、機器１を手前側からしか持てない、所謂機器１の片持ち作業となるため、作業負荷が低いとは言えず、改善が望まれている。
【０００９】
そこで、本発明は、以上のような点に鑑みてなされたもので、その目的とするところは、機器の取付時に、機器の取付用ブラケットをインストルメントパネルの凸部に干渉させず、機器の取付作業負荷を軽減できる自動車用機器収納部装置を提供することにある。
【００１０】
【課題を解決するための手段】
上記、課題を解決するために、請求項１に記載の発明は、両側部より取付用ブラケットが突出された機器と、該機器が収容可能な大きさに形成された開口部を有すると共に該開口部の両側部に該機器の取付用ブラケットが配設される取付縁部が形成されたパネル本体及び前記パネル本体に収容した状態における機器の表面位置より突出した凸部が形成され且つ前記パネル本体を覆うフロントコンソールとより形成されてなるインストルメントパネルと、該機器の表面と前記凸部との間隙を覆ってなる化粧部材とを少なくとも備えてなり、前記開口部に機器が支持された状態で、該機器の奥面側が前記インストルメントパネルに閉じられた空間を有する自動車用機器収納部装置において、前記凸部と前記取付縁部との間の側縁部には、前記機器の取付用ブラケットが前記凸部に干渉しない突出量であると共に奥側の面が前記取付縁部に重合してなる突出部が形成されてなり、前記突出部には、前記機器の取付時に前記取付用ブラケットの下端部が一時載置可能であると共に、そのまま、該取付用ブラケットの下端部を奥側に摺動して行けば、自然に前記パネル本体の取付縁部に形成されたテーパー状のボスに前記取付用ブラケットの貫通穴が係合されるように案内可能な案内面が形成されてなり、前記凸部の自動車中央側の面には、前記化粧部材の棚部の自由端部が当接可能なフランジが形成されてなることを特徴とする。
【００１１】
従って、請求項１に記載の発明によれば、前記機器を前記開口部に取り付ける際に、前記突出部によって、前記機器の側面部が案内されるので、前記機器の取付用ブラケットが前記凸部に干渉しないままの取り付けが可能である。また、前記機器を前記開口部に取り付ける際に、前記案内面に前記取付用ブラケットの下端部を載置できるので、前記機器の表面側による片持ちにならず、前記機器の取付作業負荷を軽減できることになる。また、前記凸部の支持開口に化粧部材を係止するとき、該化粧部材の棚部の自由端部がフランジに当接することで、化粧部材の位置が決まることになる。
【００１２】
更に、前記パネル本体の取付縁部に、前記フロントコンソールの突出部の奥側の面を重合させるように支持してなることで、フロントコンソールはパネル本体の正確な位置に支持できることになる。また、前記パネル本体の案内面に、前記取付用ブラケットの下端部を乗せて押し込むだけで、機器はパネル本体の取付縁部に確実に支持できることになる。
【００１３】
請求項２の発明は、請求項１記載の自動車用機器収納部装置であって、前記インストルメントパネルの突出部の前記凸部に近接した位置には、前記化粧部材の取付部が挿入可能な支持開口が形成されてなることを特徴とする。
【００１４】
従って、請求項２の発明によれば、請求項１記載の効果に加え、前記インストルメントパネルの凸部に近接した突出部の支持開口に、前記化粧部材の取付部を挿入できるので、機器の左右幅寸法と凸部との隙間が大きくなり、前記化粧部材の縁部の幅が大きくなり、その分前記化粧部材の縁部の強度が増大することになる。
【００１５】
請求項３の発明は、請求項１又は請求項２記載の自動車用機器収納部装置であって、前記フランジには、前記インストルメントパネルの凸部を形成する成形型の擦り合わせにより支持開口が形成されてなる一方側の基部となることを特徴とする。
【００１６】
従って、請求項３の発明によれば、請求項１又は請求項２記載の効果に加え、このフランジの自由端部が凸部成形の一方側の基準となっているので、成形型をスライドさせると、それだけで、成形型の擦り合わせにより支持開口が形成されてなるので、別の成形型を不要とし、製造原価が安価に得られることになる。
【００１７】
また、このフランジの自由端部が凸部成形の一方側の基準となっているので、成形型をスライドさせると、それだけで、成形型の擦り合わせにより支持開口が形成されてなるので、別の成形型を不要とし、製造原価が安価に得られることになる。
【００２０】
【発明の効果】
以上の説明より明らかなように、請求項１に記載の発明によれば、前記機器を前記開口部に取り付ける際に、前記突出部によって、前記機器の側面部が案内されるので、前記機器の取付用ブラケットが前記凸部に干渉しないままの取り付けが可能である。また、前記機器を前記開口部に取り付ける際に、前記案内面に前記取付用ブラケットの下端部を載置できるので、前記機器の表面側による片持ちにならず、前記機器の取付作業負荷を軽減できることになる。また、前記凸部の支持開口に化粧部材を係止するとき、該化粧部材の棚部の自由端部がフランジに当接することで、化粧部材の位置が決まることになる。更に、前記パネル本体の取付縁部に、前記フロントコンソールの突出部の奥側の面を重合させるように支持してなることで、フロントコンソールはパネル本体の正確な位置に支持できることになる。また、前記パネル本体の案内面に前記取付用ブラケットの下端部を載置して前記機器を押し込むだけで、機器はパネル本体の取付縁部に確実に支持できることになる。
【００２１】
請求項２の発明によれば、前記インストルメントパネルの突出部の前記凸部に近接した位置には、前記化粧部材の取付部が挿入可能な支持開口が形成されてなることを特徴とするので、請求項１の効果に加え、前記インストルメントパネルの凸部に近接した突出部の支持開口に、前記化粧部材の取付部を挿入できるので、機器の左右幅寸法と凸部との隙間が大きくなり、前記化粧部材の縁部の幅が大きくなり、その分前記化粧部材の縁部の強度が増大することになる。
【００２２】
請求項３の発明によれば、請求項１又は請求項２記載の効果に加え、このフランジの自由端部が凸部成形の一方側の基準となっているので、成形型をスライドさせると、それだけで、成形型の擦り合わせにより支持開口が形成されてなるので、別の成形型を不要とし、製造原価が安価に得られることになる。
【００２５】
【発明の実施の形態】
以下、この発明の実施の形態を図面と共に説明する。
【００２６】
図１乃至図６は、本発明の一実施形態に係る自動車用機器収納部装置を示している。図７乃至図８に示した従来例と同一部材は、同一符号を付して、説明する。
【００２７】
即ち、自動車用機器収納部装置は、両側部より鉄板より形成された取付用ブラケット２が突出されたオーディオなどの機器１と、該機器１が収納可能な約１８９ミリの左右幅寸法Ｌ１の大きさに形成された開口部４を有する合成樹脂製のインストルメントパネル１１となよりなる。
【００２８】
前記開口部４の左右ＬＲ両側部には、図２に実線で示すように、前記インストルメントパネル１１に完全に該機器１が収納された状態で、該機器１の表面５位置より突出、即ち自動車の後部ＲＲに向けて突出した凸部１２，１２を有する。
【００２９】
また、該機器１の表面５と凸部１２との左右ＬＲ間隙７には、該左右間隙７を埋めるように、図３及び図４に示すように、閉ループ状の化粧部材１３が覆ってなる。
【００３０】
前記インストルメントパネル１１は、図２及び図３に示すように、前記開口部４を有する取付縁部９が少なくとも形成されたパネル本体１４と、図２及び図４に示すように、前記凸部１２，１２が形成され且つ前記パネル本体１４を覆うフロントコンソール１５とより形成され、図１及び図２に示すように、該フロントコンソール１５の凸部１２，１２の奥側の面１７が前記取付縁部９に自動車の後部ＲＲ側から重合してなる。
【００３１】
図２に実線で示すように、前記インストルメントパネル１１のパネル本体１４の開口部４に前記機器１が支持された状態で、該機器１の奥側の面１８側には、前記インストルメントパネル１１のパネル本体１４及びフロントコンソール１５に閉じられた空間１９を有する。
【００３２】
前記フロントコンソール１５の凸部１２，１２と、該凸部１２，１２の奥側の面１７，１７との間の側縁部２０は、図３に示すように、自動車の中心位置ＣＬより左右に約１１０ミリ、即ち左右両幅約２２０ミリの左右寸法Ｌ２の大きさを有する。
【００３３】
該側縁部２０の開口部４の上下約中央位置には、図２に示すように、前記機器１の取付用ブラケット２が前記凸部１２，１２に干渉しない突出量（左右突出寸法：約１５．５ミリ）の突出部１６が形成されてなる。
【００３４】
即ち、該突出部１６は、図２に一点鎖線で示すように、機器１の側面部２１が該突出部１６の稜線２２に触れて機器１が挿入されてなるので、該機器１の位置が定まり、該機器１の挿入時には、該機器１の取付用ブラケット２の自由端部２３が前記凸部１２，１２の開口部４に対向した側の縁部２４に触れない関係になっている。
【００３５】
尚、図２に二点鎖線で示す機器１の位置は、該突出部１６が前記機器１の取付用ブラケット２の自由端部２３と前記凸部１２，１２の縁部２４とが干渉してしまう突出量でしかないときのことを仮想して示している。
【００３６】
該突出部１６は、図１及び図５，６に示すように、略矩形に形成され、その上面部には案内面２５が形成されてなる。
【００３７】
該案内面２５は、前記機器１の取付用ブラケット２の下端部が取付時に一時載置可能であると共に、該案内面２５に載せたまま、該取付用ブラケット２の下端部を奥側に摺動して行けば、図６に示すように、自然にパネル本体１４の取付縁部９に形成されたテーパー状のボス２６に前記機器１の取付用ブラケット２の貫通穴２７が係合されるように案内される。図６のＨ１は、前記取付用ブラケット２の貫通穴２７の上縁部と前記ボス２６の先端部との隙間で、該ボス２６の先端部に前記取付用ブラケット２の貫通穴２７が達した状態で、自然に前記取付用ブラケット２の貫通穴２７が該ボス２６に案内されるように形成されてなる。
【００３８】
該ボス２６には、前記フロントコンソール１５の奥側の面１７の貫通穴２８が予め係合されていることは勿論である。
【００３９】
また、前記インストルメントパネル１１の突出部１６の前記凸部１２，１２に近接した位置には、図４に示すように、前記化粧部材１３の取付部２９が挿入係合可能な支持開口３０が形成されてなる。
【００４０】
該支持開口３０の一方側の縁部３１には、該突出部１６より外側、即ち自動車の左右ＬＲ外側に向けて４５度の角度を持つ前後寸法３ミリの面３２と、該面３２より３ミリだけ外側に延在された端末部３３とよりなる。
【００４１】
該支持開口３０の他方側の「フランジ」である縁部３４は、前記化粧部材１３の棚部３５の自由端部３６が当接可能なると共に図３に示すように該凸部１２，１２を形成する図示しない成形型の擦り合わせ線３７によりフランジ状に形成されて、前記化粧部材１３の取付部２９が挿入可能なことは前記した。
【００４２】
該擦り合わせ線３７のなす角度は、前後に５度である。
【００４３】
以上のように、かかる自動車用機器収納部装置にあって、前記機器１を前記インストルメントパネルのフロントコンソール１５に形成された凸部１２，１２に囲まれた開口部４に取り付ける際に、図２に示すように、前記突出部１６によって、前記機器１の側面部２１が案内されるので、前記機器１の取付用ブラケット２が前記インストルメントパネル１１のフロントコンソール１５に形成された凸部１２，１２に干渉しないままの取り付けが可能である。
【００４４】
また、前記機器１を前記インストルメントパネル１１のパネル本体１４の開口部４に取り付ける際に、前記案内面２５に前記機器１の取付用ブラケット２の下端部を載置できるので、前記機器１の表面５側だけを持つ、所謂片持ちにならず、前記機器１の取付作業負荷を軽減できることになる。
【００４５】
また、前記インストルメントパネル１１のフロントコンソール１５に形成された凸部１２に近接した突出部１６の支持開口３０に、前記化粧部材１３の取付部２９を挿入できるので、機器１の左右幅寸法と凸部１２との隙間７が大きくなり、前記化粧部材１３の縁部３８の左右幅Ｌ３が大きくなり、その分前記化粧部材１３の縁部３８の強度が増大することになる。
【００４６】
また、前記インストルメントパネル１１のフロントコンソール１５に形成された凸部１２の支持開口３０に化粧部材１３を係止するとき、該化粧部材１３の棚部３５の自由端部３６が支持開口３０の他方側の縁部３４に当接することで、化粧部材１３の位置が決まり、凸凹が生じないことになる。
【００４７】
また、支持開口３０の他方側の縁部３４の自由端部３９が凸部１２成形の一方側の基準となっているので、図示しない成形型をスライドさせると、それだけで、成形型の擦り合わせにより支持開口３０が形成されてなるので、別の成形型を不要とし、製造原価が安価に得られることになる。
【００４８】
また、前記インストルメントパネル１１のパネル本体１４の取付縁部９に、前記インストルメントパネル１１のフロントコンソール１５の突出部１６の奥側の面１７を重合させるように支持してなることで、フロントコンソール１５にはパネル本体１４の正確な位置に支持できることになる。
【図面の簡単な説明】
【図１】この発明の一実施形態にかかる自動車用機器収納部装置のフロントコンソールの斜視説明図である。
【図２】図１の自動車用機器収納部装置の組み立て状況を示す平断面説明図である。
【図３】図１のＳＡ−ＳＡ線に沿う断面説明図である。
【図４】図１のＳＢ−ＳＢ線に沿う断面説明図である。
【図５】図１の矢視Ｃにかかる説明図である。
【図６】図５のＤ部の詳細を説明する拡大断面説明図である。
【図７】従来例のインストルメントパネルの正面図である。
【図８】要部の横断面図である。
【符号の説明】
１  機器
２  機器の取付用ブラケット
３，１１  インストルメントパネル
４  インストルメントパネル開口部
５  機器の表面
７  機器の表面と凸部との左右間隙
９  インストルメントパネルの取付縁部
１２  凸部
１３  化粧部材
１４  インストルメントパネルのパネル本体
１５  インストルメントパネルのフロントコンソール
１６  突出部
１７  フロントコンソールの奥側の面
１８  機器の奥側の面
１９  パネル本体及びフロントコンソールに閉じられた空間
２０  フロントコンソールの凸部と奥側面との間の側縁部
２１  機器の側面部
２２  突出部の稜線
２３  取付用ブラケットの自由端部
２４  凸部の縁部
２５  突出部の案内面
２９  化粧部材の取付部
３０  支持開口
３１  支持開口の一方側の縁部
３４  支持開口の他方側の縁部（フランジ）
３５  化粧部材の棚部
３６  棚部の自由端部
３７  成形型の擦り合わせ線
３８  化粧部材の縁部
３９  他方側の縁部の自由端部
【図１】
0003850479.tif 000002
【図２】
0003850479.tif 000003
【図３】
0003850479.tif 000004
【図４】
0003850479.tif 000005
【図５】
0003850479.tif 000006
【図６】
0003850479.tif 000007
【図７】
0003850479.tif 000008
【図８】
0003850479.tif 000009